【手続補正書】
【提出日】平成16年12月24日(2004.12.24)
【手続補正１】
【補正対象書類名】明細書
【補正対象項目名】発明の名称
【補正方法】変更
【補正の内容】
【発明の名称】通信装置及び制御方法
【手続補正２】
【補正対象書類名】明細書
【補正対象項目名】特許請求の範囲
【補正方法】変更
【補正の内容】
【特許請求の範囲】
【請求項１】
ネットワークにコピーの禁止されたデジタル情報を出力可能な通信装置であって、
前記デジタル情報を前記ネットワークに出力する通信手段と、
前記ネットワークに前記デジタル情報の記録が可能な機器が接続されているか否かを判別する判別手段と、
前記ネットワークに前記デジタル情報の記録が可能な機器が接続されている場合、前記デジタル情報を前記ネットワークに出力させないように制御する制御手段とを有することを特徴とする通信装置。
【請求項２】
前記判別手段は、前記通信手段を用いて前記ネットワークに接続された機器の夫々に機器情報を問い合わせ、その問合せ結果に基づいて判別することを特徴とする請求項１に記載の通信装置。
【請求項３】
前記通信手段が前記デジタル情報を出力している期間に前記ネットワークの接続構成が変化した場合、前記判別手段は再び、前記ネットワークに前記デジタル情報の記録が可能な機器が接続されているか否かを判別することを特徴とする請求項１または２に記載の通信装置。
【請求項４】
前記通信手段が前記デジタル情報を出力している期間に前記ネットワークの接続構成が変化した場合、前記制御手段は、前記デジタル情報を前記ネットワークに出力させないように制御することを特徴とする請求項１から３のいずれかに記載の通信装置。
【請求項５】
ネットワークにコピーの禁止されたデジタル情報を出力可能な通信装置であって、
前記ネットワークに前記デジタル情報の記録が可能な記録装置が接続されているか否かを判別する判別手段と、
前記判別手段により判別された記録装置に前記デジタル情報を記録させないように制御する制御手段とを有し、
前記通信装置は、前記制御手段の制御処理が終了するまで前記デジタル情報を前記ネットワークに出力させないことを特徴とする通信装置。
【請求項６】
前記判別手段は、前記通信手段を用いて前記ネットワークに接続された機器の夫々に機器情報を問い合わせ、その問合せ結果に基づいて判別することを特徴とする請求項５に記載の通信装置。
【請求項７】
前記制御手段は、前記記録装置の電源をオフにさせ、前記デジタル情報を記録させないように制御することを特徴とする請求項５または６に記載の通信装置。
【請求項８】
前記制御手段は、前記記録装置をリピータとしてのみ機能させることを特徴とする請求項５または６に記載の通信装置。
【請求項９】
前記判別手段は、前記通信手段が前記デジタル情報を出力している期間に前記ネットワークの接続構成が変化した場合は、前記ネットワークに前記デジタル情報の記録が可能な機器が接続されているか否かを判別することを特徴とする請求項５から８のいずれかに記載の通信装置。
【請求項１０】
前記通信手段が前記デジタル情報を出力している期間に前記ネットワークの接続構成が変化した場合、前記通信装置は、前記制御手段の制御処理が終了するまで前記デジタル情報を前記ネットワークに出力させないことを特徴とする請求項５から９のいずれかに記載の通信装置。
【請求項１１】
ネットワークにデジタル情報を出力可能な通信装置であって、
前記デジタル情報をネットワークに出力する通信手段と、
前記デジタル情報がコピーの禁止されている情報であるのか否かを検出する検出手段と、
前記デジタル情報がコピーの禁止されている情報である場合、前記デジタル情報を前記ネットワークに出力させないように制御する制御手段とを有することを特徴とする通信装置。
【請求項１２】
ネットワークに出力されたデジタル情報の記録が可能な通信装置であって、
前記ネットワークに出力されたデジタル情報を入力する通信手段と、
前記ネットワークに出力されたデジタル情報がコピーの禁止されたデジタル情報である場合、前記ネットワーク上のデジタル情報を入力できないように前記通信手段を制御する制御手段とを有することを特徴とする通信装置。
【請求項１３】
ネットワークに出力されたデジタル情報の記録が可能な通信装置であって、
前記ネットワークに出力されたデジタル情報を入力する通信手段と、
前記通信手段を介して入力されたデジタル情報を記録媒体に記録する記録手段と、
前記ネットワークに出力されたデジタル情報がコピーの禁止されたデジタル情報である場合、前記記録媒体をイジェクトするように制御する制御手段とを有することを特徴とする通信装置。
【請求項１４】
ネットワークにコピーの禁止されたデジタル情報を出力する通信装置の制御方法であって、
前記ネットワークに前記デジタル情報の記録が可能な機器が接続されているか否かを判別し、
前記ネットワークに前記デジタル情報の記録が可能な機器が接続されている場合、前記デジタル情報を前記ネットワークに出力させないように制御することを特徴とする制御方法。
【請求項１５】
ネットワークにコピーの禁止されたデジタル情報を出力する通信装置の制御方法であって、
前記ネットワークに前記デジタル情報の記録が可能な記録装置が接続されているか否かを判別し、
前記記録装置が前記ネットワークに接続されている場合、前記デジタル情報を記録させないように制御し、その制御処理が終了するまで前記デジタル情報を前記ネットワークに出力させないことを特徴とする通信方法。
【請求項１６】
ネットワークにデジタル情報を出力する通信装置の制御方法であって、
前記デジタル情報がコピーの禁止されている情報であるのか否かを検出し、
前記デジタル情報がコピーの禁止されている情報である場合、前記デジタル情報を前記ネットワークに出力させないように制御することを特徴とする制御方法。
【請求項１７】
ネットワークに出力されたデジタル情報の記録が可能な通信装置の制御方法であって、
前記通信装置は、前記ネットワークに出力されたデジタル情報がコピーの禁止されていないデジタル情報である場合、前記デジタル情報を入力するように制御し、前記ネットワークに出力されたデジタル情報がコピーの禁止されたデジタル情報である場合、前記デジタル情報を入力できないように制御することを特徴とする制御方法。
【請求項１８】
ネットワークに出力されたデジタル情報の記録が可能な通信装置の制御方法あって、
前記通信装置は、前記ネットワークに出力されたデジタル情報がコピーの禁止されていないデジタル情報である場合、前記デジタル情報を記録媒体に記録し、前記ネットワークに出力されたデジタル情報がコピーの禁止されたデジタル情報である場合、前記記録媒体をイジェクトするように制御することを特徴とする制御方法。
【手続補正３】
【補正対象書類名】明細書
【補正対象項目名】０００１
【補正方法】変更
【補正の内容】
【０００１】
【発明の属する技術分野】
本発明は、ネットワークにデジタル情報を出力する通信装置及びその制御方法並びにネットワークに出力されたデジタル情報の記録が可能な通信装置及びその制御方法に関する。
【手続補正４】
【補正対象書類名】明細書
【補正対象項目名】０００８
【補正方法】変更
【補正の内容】
【０００８】
そこで、本発明は、コピーの禁止されているデジタル情報の記録を容易に行なえないようにすることを目的とする。
【手続補正５】
【補正対象書類名】明細書
【補正対象項目名】０００９
【補正方法】変更
【補正の内容】
【０００９】
【課題を解決するための手段】
本発明に係る通信装置の一つは、ネットワークにコピーの禁止されたデジタル情報を出力可能な通信装置であって、前記デジタル情報を前記ネットワークに出力する通信手段と、前記ネットワークに前記デジタル情報の記録が可能な機器が接続されているか否かを判別する判別手段と、前記ネットワークに前記デジタル情報の記録が可能な機器が接続されている場合、前記デジタル情報を前記ネットワークに出力させないように制御する制御手段とを有することを特徴とする。
【手続補正６】
【補正対象書類名】明細書
【補正対象項目名】００１０
【補正方法】変更
【補正の内容】
【００１０】
また、本発明に係る通信装置の一つは、ネットワークにコピーの禁止されたデジタル情報を出力可能な通信装置であって、前記ネットワークに前記デジタル情報の記録が可能な記録装置が接続されているか否かを判別する判別手段と、前記判別手段により判別された記録装置に前記デジタル情報を記録させないように制御する制御手段とを有し、前記通信装置は、前記制御手段の制御処理が終了するまで前記デジタル情報を前記ネットワークに出力させないことを特徴とする。
【手続補正７】
【補正対象書類名】明細書
【補正対象項目名】００１１
【補正方法】変更
【補正の内容】
【００１１】
また、本発明に係る通信装置の一つは、ネットワークにデジタル情報を出力可能な通信装置であって、前記デジタル情報をネットワークに出力する通信手段と、前記デジタル情報がコピーの禁止されている情報であるのか否かを検出する検出手段と、前記デジタル情報がコピーの禁止されている情報である場合、前記デジタル情報を前記ネットワークに出力させないように制御する制御手段とを有することを特徴とする。
【手続補正８】
【補正対象書類名】明細書
【補正対象項目名】００１２
【補正方法】変更
【補正の内容】
【００１２】
また、本発明に係る通信装置の一つは、ネットワークに出力されたデジタル情報の記録が可能な通信装置であって、前記ネットワークに出力されたデジタル情報を入力する通信手段と、前記ネットワークに出力されたデジタル情報がコピーの禁止されたデジタル情報である場合、前記ネットワーク上のデジタル情報を入力できないように前記通信手段を制御する制御手段とを有することを特徴とする。
【手続補正９】
【補正対象書類名】明細書
【補正対象項目名】００１３
【補正方法】変更
【補正の内容】
【００１３】
また、本発明に係る通信装置の一つは、ネットワークに出力されたデジタル情報の記録が可能な通信装置であって、前記ネットワークに出力されたデジタル情報を入力する通信手段と、前記通信手段を介して入力されたデジタル情報を記録媒体に記録する記録手段と、前記ネットワークに出力されたデジタル情報がコピーの禁止されたデジタル情報である場合、前記記録媒体をイジェクトするように制御する制御手段とを有することを特徴とする。
【手続補正１０】
【補正対象書類名】明細書
【補正対象項目名】００１４
【補正方法】変更
【補正の内容】
【００１４】
また、本発明に係る制御方法の一つは、ネットワークにコピーの禁止されたデジタル情報を出力する通信装置の制御方法であって、前記ネットワークに前記デジタル情報の記録が可能な機器が接続されているか否かを判別し、前記ネットワークに前記デジタル情報の記録が可能な機器が接続されている場合、前記デジタル情報を前記ネットワークに出力させないように制御することを特徴とする。
【手続補正１１】
【補正対象書類名】明細書
【補正対象項目名】００１５
【補正方法】変更
【補正の内容】
【００１５】
また、本発明に係る制御方法の一つは、ネットワークにコピーの禁止されたデジタル情報を出力する通信装置の制御方法であって、前記ネットワークに前記デジタル情報の記録が可能な記録装置が接続されているか否かを判別し、前記記録装置が前記ネットワークに接続されている場合、前記デジタル情報を記録させないように制御し、その制御処理が終了するまで前記デジタル情報を前記ネットワークに出力させないことを特徴とする。
【手続補正１２】
【補正対象書類名】明細書
【補正対象項目名】００１６
【補正方法】変更
【補正の内容】
【００１６】
また、本発明に係る制御方法の一つは、ネットワークにデジタル情報を出力する通信装置の制御方法であって、前記デジタル情報がコピーの禁止されている情報であるのか否かを検出し、前記デジタル情報がコピーの禁止されている情報である場合、前記デジタル情報を前記ネットワークに出力させないように制御することを特徴とする。
【手続補正１３】
【補正対象書類名】明細書
【補正対象項目名】００１７
【補正方法】変更
【補正の内容】
【００１７】
また、本発明に係る制御方法の一つは、ネットワークに出力されたデジタル情報の記録が可能な通信装置の制御方法であって、前記通信装置は、前記ネットワークに出力されたデジタル情報がコピーの禁止されていないデジタル情報である場合、前記デジタル情報を入力するように制御し、前記ネットワークに出力されたデジタル情報がコピーの禁止されたデジタル情報である場合、前記デジタル情報を入力できないように制御することを特徴とする。
【手続補正１４】
【補正対象書類名】明細書
【補正対象項目名】００１８
【補正方法】変更
【補正の内容】
【００１８】
また、本発明に係る制御方法の一つは、ネットワークに出力されたデジタル情報の記録が可能な通信装置の制御方法あって、前記通信装置は、前記ネットワークに出力されたデジタル情報がコピーの禁止されていないデジタル情報である場合、前記デジタル情報を記録媒体に記録し、前記ネットワークに出力されたデジタル情報がコピーの禁止されたデジタル情報である場合、前記記録媒体をイジェクトするように制御することを特徴とする。
【手続補正１５】
【補正対象書類名】明細書
【補正対象項目名】００９９
【補正方法】変更
【補正の内容】
【００９９】
【発明の効果】
本発明によれば、コピーの禁止されているデジタル情報の記録を容易に行なえないようにすることができる。
【手続補正１６】
【補正対象書類名】明細書
【補正対象項目名】０１００
【補正方法】削除
【補正の内容】
【手続補正１７】
【補正対象書類名】明細書
【補正対象項目名】０１０１
【補正方法】削除
【補正の内容】